(57)【要約】【課題】  ホッパー本体の内壁面に飼料が付着してブリッジが発生するのを防止し、飼料の供給量を容易に調整できるようにして、飼料を円滑に供給することができる飼料供給装置を提供する。【解決手段】  飼料供給装置１において、ホッパー本体２の上部に下端開口を十分に幅広とした傾斜壁部５，６を形成し、傾斜壁部５，６の下方に傾斜壁部５，６から落下する飼料Ｓを一時的に堆積し、その両側から落下させる一時堆積部材８を配設する。さらに、一時堆積部材８の下方に飼料Ｓを分別する餌量調節部材９を配設する。【選択図】              図１
2007074938.tif 000002
【特許請求の範囲】
【請求項１】
ディスクケーブルを内蔵するパイプライン内へ飼料を連続的に供給する飼料供給装置であって、ホッパー本体の上部に下端開口を十分に幅広とした傾斜壁部を形成し、この傾斜壁部の下方に傾斜壁部から落下する飼料を一時的に堆積し、その両側から落下させる一時堆積部材を配設したことを特徴とする飼料供給装置。
【請求項２】
さらに、前記一時堆積部材の下方に飼料を分別する餌量調節部材を配設したことを特徴とする請求項１に記載の飼料供給装置。
【請求項３】
前記一時堆積部材は、上下位置調整自在であることを特徴とする請求項１又は２に記載の飼料供給装置。
【請求項４】
前記餌量調節部材は、前記ディクケーブルの走行によって揺動自在であることを特徴とする請求項２又は３に記載の飼料供給装置。
【請求項５】
前記餌量調節部材は、２枚の篩形成板を一体化して構成され、これら篩形成板の取付位置を調整することによって、篩の目の大きさを変更自在としたことを特徴とする請求項２乃至４に記載の飼料供給装置。
【請求項６】
前記傾斜壁部は、振動板を有することを特徴とする請求項１乃至５に記載の飼料供給装置。
【発明の詳細な説明】
【技術分野】
【０００１】
本発明は、家畜用飼料等を給餌パイプライン内へ円滑に供給できるように改良した飼料供給装置に関する。
【背景技術】
【０００２】
従来、図７に示すように、飼料タンク１０４に貯蔵された家畜用飼料を飼料供給装置１０５を介し、ディスクケーブル１０２を内蔵するパイプライン１０３へ連続的に供給し、多数の給餌器１０６へ配給する飼料搬送装置１０１が知られている（特許文献１参照）。
ここで、ディスクケーブル１０２は、図８に示すように、可撓性を有するケーブル１０２ａにディスク１０２ｂを所定間隔で固着したものである。
【０００３】
【特許文献１】特開２００２−１５３１５６号公報
【０００４】
上記飼料供給装置として、図９及び図１０に示すものが知られている。この飼料供給装置２０１は、ホッパー本体２０２の下端部内面に揺動アーム２０３の基端部を軸支し、この揺動アーム２０３の先端部にはローラー２０４を回転自在に軸支してあり、揺動アーム２０３の中間部上面にはコイルスプリング２０５の下端部を固着してある。又、ホッパー本体２０２の下端開口近傍にはパイプライン１０３に沿って摺動自在としたシャッター２０６を配設してある。
【０００５】
よって、上記シャッター２０６をパイプライン１０３に沿って摺動させ、ホッパー本体２０２の下端開口の開口面積を変化させることによって、飼料供給装置２０１からパイプライン１０３に供給する飼料Ｓの量を適宜調節できるようになっている。
【０００６】
又、前記ローラー２０４はディスクケーブル１０２に接触させてあるから、ローラー２０４はディスクケーブル１０２の移動によって上下に移動し、揺動アーム２０３も上下に揺動するようになっている。これによって、コイルスプリング２０５も上下に移動しつつ伸縮するから、ホッパー本体２０２内の飼料Ｓを攪拌、振動させ、下端開口から円滑に排出できるようになっている。
【０００７】
上記飼料供給装置として、図１２乃至図１４に示すものも知られている。この飼料供給装置３０１は、ホッパー本体３０２の一方の傾斜壁部３０２ａの内面に薄肉の歯車３０３を回転自在に軸支し、歯車３０３の歯３０３ａをホッパー本体３０２の下端開口を移動するディスクケーブル１０２のディスク１０２ｂと噛合させ、ディスクケーブル１０２の移動によって歯車３０３が回転するようになっている。又、歯車３０３には適宜個数の挿通孔３０３ｂを穿設してある。
【０００８】
一方、他方の傾斜壁部３０２ｂの内面に２枚の餌量調整板３０４，３０５をボルト、ナットにより摺動自在に支持し、傾斜壁部３０２ｂの両側端部に配設した案内部材３０６，３０７に餌量調整板３０４，３０５の側端部を挿入させ、餌量調整板３０４，３０５が案内部材３０６，３０７に案内され、傾斜壁部３０２ｂに沿って適宜移動できるようにしてある。
【０００９】
よって、餌量調整板３０４，３０５を適宜移動させ、餌量調整板３０４，３０５の下端位置を適宜設定することによって、下端開口の開口面積を変化させ、飼料供給装置３０１からパイプライン１０３に供給する飼料Ｓの量を適宜調節できるようになっている。
【００１０】
又、ディスクケーブル１０２の移動と共に歯車３０３が回転することによって、ホッパー本体３０２内の飼料Ｓを攪拌させ、又、歯車３０３に穿設された挿通孔３０３ｂを介して飼料Ｓが流出し、飼料Ｓは円滑に下端開口から排出されるようになっている。
【発明の開示】
【発明が解決しようとする課題】
【００１１】
しかし、上記飼料供給装置２０１では、図１０に示すように、揺動アーム２０３の先端部から中間部に至る領域においては、コイルスプリング２０５によって飼料Ｓが攪拌、振動されるから、飼料Ｓは円滑に下端開口へと流動していくが、揺動アーム２０３の基端部近傍においては、シャッター２０６が内側に突出しており、その上面に飼料Ｓが順次堆積していくから、いわゆるブリッジが発生し、飼料Ｓが円滑に排出されなくなる。
【００１２】
又、上記飼料供給装置３０１では、図１４に示すように、一方の傾斜壁部３０２ａの内面には歯車３０３を回転自在に軸支してあるため、傾斜壁部３０３ａ近傍においては、飼料Ｓが攪拌され、挿通孔３０３ｂから流出され、歯車３０３によって飼料Ｓは円滑に下端開口へと流動していくが、他方の傾斜壁部３０３ｂの内面には何等飼料Ｓを攪拌したりする部材がないため、傾斜壁部３０３ｂ近傍においては、飼料Ｓが内面に付着し易く、いわゆるブリッジが発生し、飼料Ｓが円滑に排出されなくなる。
さらに、餌量調整板３０４，３０５と傾斜壁部３０２ｂとの間には段差があり、ボルト、ナットが突出しており、案内部材３０６，３０７も配設されているために、どうしても飼料Ｓが停滞し易く、これによってもブリッジが発生する。
【００１３】
このような状態のまま使用すると、図１１及び図１５に示すように、飼料供給装置２０１，３０１内に発生したブリッジ状の飼料Ｓに、飼料タンク１０４の下端部に存在する飼料Ｓが順次堆積していき、湿度、結露等によって飼料タンク１０４内の飼料Ｓもブリッジ状に固まってしまう。
そして、何等かの原因で、固まった飼料Ｓが塊状になって落下すると、その塊状の飼料Ｓがパイプライン１０３を介して給餌器１０６まで搬送され、パイプライン１０３内で飼料Ｓが詰まったり、家畜が塊状の飼料Ｓを食べて障害を起こす恐れがあった。
【００１４】
特に夏季にあって、飼料Ｓの水分が飼料タンク１０４内に充満し、飼料Ｓがブリッジ状に固まると、飼料タンク１０４内で飼料Ｓが大量に腐敗することになる。そして、腐敗した飼料Ｓがパイプライン１０３を介して給餌器１０６まで搬送され、家畜、特に仔豚が食べると、直ぐに下痢を起こし、仔豚の成長が阻害される。これによる利益の損失は莫大であり、多くの畜産家にとっての頭痛の種であった。
【００１５】
さらに、家畜用飼料としては、元来、穀類の如く粒子が小径で均一なものを使用していたが、最近では、家畜の肥育をより促進できることから、従来の飼料に配合飼料を混合したものが使用されるようになってきた。
例えば、配合飼料を混合させ発酵させた飼料を母豚に与えると、栄養バランスに優れるため、母乳の出が格段に良くなり、仔豚の発育にバラつきがなくなる。又、牛を肥育するために、配合飼料にヘイキューブという乾草を立方体状に圧縮成形した飼料を混合したものも使用されるようになってきた。
【００１６】
家畜用飼料として、図１６に示すように、トウモロコシ、ペレット等の小粒状の飼料Ｓ１、添加剤、ビール粕等の粉末状の飼料Ｓ２、乾草を圧縮成形した３ｃｍ以上の大粒状の飼料Ｓ３が混合された飼料Ｓを使用する場合には、図１７及び図１８に示すように、上記飼料供給装置２０１，３０１では、下端開口が大粒状の飼料Ｓ３で閉塞されてしまって、飼料Ｓの供給量を調節するのが困難であるという問題も生じてきた。
すなわち、下端開口の開口面積を大きくすれば、大粒状の飼料Ｓ３を十分に排出することができるが、飼料Ｓの供給量が過剰になって、飼料Ｓを搬送できなくなり、一方、下端開口の開口面積を小さくすれば、大粒状の飼料Ｓ３が下端開口に詰まって、開口を閉塞してしまう、という問題が生じてきた。
【００１７】
本発明は、上記従来の飼料供給装置における問題点に鑑みて為されたものであり、特に複雑な機構部品を採用することなく、ホッパー本体の内壁面に飼料が付着してブリッジが発生することなく、飼料を円滑に排出できるようにし、飼料タンク内で飼料がブリッジ状に固まってしまうことを防止し、パイプライン内で飼料が詰まったり、家畜が塊状の飼料を食べて障害を起こすこと、腐敗した飼料を食べて下痢を起こすことを防止することができる飼料供給装置を提供することを目的とする。
【００１８】
本発明は、又、複数種類の粒径の異なる飼料を混合した飼料を使用する場合にも、飼料の供給量を容易に調節できるようにして、飼料の供給が過剰になって、飼料を搬送できなくなったり、大粒状の飼料が下端開口に詰まって、開口を閉塞してしまうこともない飼料供給装置を提供することを目的とする。
【課題を解決するための手段】
【００１９】
上記目的を達成するため、本発明の飼料供給装置は、ディスクケーブルを内蔵するパイプライン内へ飼料を連続的に供給する飼料供給装置であって、ホッパー本体の上部に下端開口を十分に幅広とした傾斜壁部を形成し、この傾斜壁部の下方に傾斜壁部から落下する飼料を一時的に堆積させ、その両側から落下させる一時堆積部材を配設したことを特徴とするものである。
【００２０】
さらに、前記一時堆積部材の下方に飼料を分別する餌量調節部材を配設すれば、飼料を分別して塊状になった飼料、異物を除去した上で、飼料をパイプライン内へ供給することができる。
【００２１】
前記一時堆積部材を上下位置変更自在とすれば、飼料の供給量を調節することができ、円滑に飼料を供給することができる。
【００２２】
前記餌量調節部材を前記ディクケーブルの走行によって揺動自在とすれば、振動によって飼料を確実に分別することができる。
【００２３】
前記餌量調節部材は、２枚の篩形成板を一体化して構成し、これら篩形成板の取付位置を調節して、篩の目の大きさを変更自在とするのが好ましい。かかる構成によれば、使用する飼料に対応して飼料の供給状態を変えることができる。
【００２４】
前記傾斜壁部は振動板を有するのが好ましい。かかる構成によれば、傾斜壁部の内面に付着することなく、確実に飼料を落下することができる。
【発明を実施するための最良の形態】
【００２５】
以下、本発明の飼料供給装置の好適な実施形態について、図面を参照して具体的に説明する。
【００２６】
本発明の飼料供給装置１は、パイプライン１０３内へ飼料Ｓを円滑に供給するためのものであって、図１及び図３に示すように、ホッパー本体２の下端部をディスクケーブル１０２が走行するようになっている。
【００２７】
ホッパー本体２は、図１及び図２に示すように、左、右側面壁部３，４、前側傾斜壁部５、後側傾斜壁部６、排出案内壁部７、一時堆積部材８及び餌量調節部材９とから構成される。
そして、前側傾斜壁部５の下端と後側傾斜壁部６の下端とによって画成される下端開口は十分に幅広としてある。下端開口の幅Ｗは、少なくとも、大粒状の飼料Ｓ３が複数通過できる間隔としてある。
【００２８】
左、右側面壁部３，４には、図１及び図２に示すように、ケーブル挿通孔３ａ，４ａを穿設してあり、このケーブル挿通孔３ａ，４ａを介してディスクケーブル１０２がホッパー本体２に導入、導出されるようになっている。
又、位置調整用長孔３ｂ，４ｂを穿設してあり、これによって、一時堆積部材８の上下
位置を適宜変更できるようになっている。
【００２９】
前側傾斜壁部５は、図１及び図２に示すように、支持板１０と振動板１１とから成り、支持板１０は、左、右側面壁部３，４に固着され、振動板１１は、ボルト１２、ナット１３及びスプリング１４を介して支持板１０に連結されている。
よって、飼料Ｓによる圧力が振動板１１に負荷されれば、スプリング１４の弾性力によって振動板１１は適宜振動するようになっている。
【００３０】
後側傾斜壁部６は、図１及び図２に示すように、支持板１５と振動板１６とから成り、支持板１５は、左、右側面壁部３，４に固着され、振動板１６は、ボルト１７、ナット１８及びスプリング１９を介して支持板１５に連結されている。
支持板１５には、バイブレーター２０を固定してあり、このバイブレーター２０によって振動板１６を振動するようになっている。又、支持板１５には、ボルト２２、ナット２３より成る間隙調整機構２１を配設してあり、この間隙調整機構２１により振動板１６とバイブレーター２０との間隙を調整することによって、振動板１６の振動状態を適宜調節できるようになっている。
【００３１】
排出案内壁部７は、図２に示すように、前側傾斜壁部５、後側傾斜壁部６の下方に配設してあり、傾斜壁部７ａ，７ｂ、排出溝部７ｃから構成され、落下してきた飼料Ｓを傾斜壁部７ａ，７ｂに沿って流動させ、排出溝部７ｃに収集するようになっている。
又、排出溝部７ｃ内にディスクケーブル１０２が配置され、ディスクケーブル１０２が走行することによって、飼料Ｓをパイプライン１０３に排出するようになっている。
【００３２】
一時堆積部材８は、図１及び図２に示すように、前側傾斜壁部５、後側傾斜壁部６の下方、餌量調節部材９の上方に配設してあり、平坦板部８ａの両側端に支持片部８ｂ，８ｂを固着してある。
支持片部８ｂ，８ｂは、位置調整用長孔３ｂ，４ｂに挿通した蝶ボルト２４，２４を介して左、右側面壁部３，４に固定され、蝶ボルト２４，２４を上下に移動させることによって、一時堆積部材８の上下位置を適宜調整できるようになっている。
【００３３】
餌量調節部材９は、図１乃至図４に示すように、上下２枚の篩形成板２５，２６及び蝶番２７から構成されおり、篩形成板２５，２６は、蝶番２７を介して右側面壁部４に揺動自在に支持されている。
篩形成板２５は、図４に示すように、両側面部２５ａ，２５ｂを上方に折曲してあり、平面部２５ｃには多数の落下用孔２８，２８，・・・を穿設してある。又、一端部下面にはＶ形を呈するフック２９を固着してあると共に、適宜位置において、ボルト３０を上方に突設してある。
篩形成板２６は、図４に示すように、平面部２６ａに前記落下用孔２８，２８，・・・に対応して多数の落下用孔３１，３１，・・・を穿設してある。又、前記ボルト３０に対応して調整用長孔３２を穿設してある。
【００３４】
篩形成板２５，２６は、篩形成板２５に篩形成板２６を載置し、調整用長孔３２にボルト３０を挿通して、適宜位置でボルト３０を蝶ナット３３で締結、固定すれば、一体化されて篩板を構成し、落下用孔２８，２８，・・・と落下用孔３１，３１，・・・との位置関係によって、篩板の目の大きさを調整することができるようになっている。
【００３５】
篩形成板２５，２６を一体化して篩板を構成し、蝶番２７を介して右側面壁部４に支持した時、フック２９はディスクケーブル１０２に接触するようになっているから、ディスクケーブル１０２の走行によってフック２９は上下に移動し、篩形成板２５，２６は蝶番２７を支点として揺動する。
【００３６】
次に、本発明の飼料供給装置１の作用、効果について、使用方法とともに説明する。
【００３７】
予め、使用する飼料の特性を考慮し、振動板１６とバイブレーター２０との間隙を調整して、振動板１６の振動状態を適宜調節し、蝶ボルト２４，２４を上下に移動させて、一時堆積部材８の上下位置を適宜調整し、落下用孔２８と落下用孔３１との位置関係を適宜設定して、篩板の目の大きさを調整しおく。
【００３８】
本発明の飼料供給装置１にあっては、前側傾斜壁部５の下端と後側傾斜壁部６の下端とにより画成される下端開口の幅Ｗを十分に幅広としてあるので、図５及び図６に示すように、先ず、ホッパー本体２内に落下、流動してきた飼料Ｓは、前側傾斜壁部５及び後側傾斜壁部６に沿って円滑に流動し、その下端開口から落下する。
【００３９】
次に、飼料Ｓは一時堆積部材８上に一時的に堆積するが、上方から次々と飼料Ｓが落下してくるので、停滞することなく、一時堆積部材８の両側から溢れて、排出案内壁部７の傾斜壁部７ａ，７ｂに沿って下方に流動していく。
【００４０】
次に、排出案内壁部７の傾斜壁部７ａ，７ｂに沿って流動する飼料Ｓの大部分は、餌量調節部材９上に堆積し、流動する飼料Ｓの一部分、特に粉末状の飼料Ｓ２はさらに下方に流動して排出溝部７ｃに収集されていく。
【００４１】
次に、餌量調節部材９上に堆積した飼料Ｓは、篩にかけられ、篩の目を通過しない粒径の飼料Ｓ、異物は餌量調節部材９上にそのまま残存し、篩の目を通過する粒径の飼料Ｓは篩の目を通過して下方に流動し、排出溝部７ｃに収集されていく。
この際、篩形成板２５，２６は蝶番２７を支点として揺動するから、飼料Ｓは円滑に篩の目を通過することができる。
【００４２】
そして、排出溝部７ｃに収集された飼料Ｓは、ディスクケーブル１０２が走行することによって、飼料供給装置１から排出されて、パイプライン１０３へと供給されていく。
【００４３】
上記において、一時堆積部材８の上下位置を適宜調整することによって、前側傾斜壁部５の下端と後側傾斜壁部６の下端とにより画成される下端開口から一時堆積部材８までの間に堆積する飼料Ｓの量を適宜調節することができ、これによって、パイプライン１０３への飼料Ｓの供給量を調整することができ、円滑に飼料を供給することができる。
【００４４】
又、落下用孔２８と落下用孔３１との位置関係を適宜設定して、篩板の目の大きさを調整することによって、大粒状の飼料Ｓ３の通過量を調整することができ、これによって、パイプライン１０３へ飼料Ｓを円滑に供給できると共に、家畜の種類に対応させて適切に飼料Ｓを供給することができる。
【００４５】
以上のように、本発明の飼料供給装置１によれば、ホッパー本体２内壁面に飼料Ｓが付着してブリッジが発生することなく、飼料Ｓを円滑に排出することができ、飼料タンク１０４内で飼料Ｓがブリッジ状に固まってしまうことを防止し、パイプライン１０３内で飼料Ｓが詰まったり、家畜が塊状の飼料Ｓを食べて障害を起こすこと、腐敗した飼料Ｓを食べて下痢を起こすことを防止することができる。
【００４６】
又、複数種類の粒径の異なる飼料Ｓ１，Ｓ２，Ｓ３を混合した飼料Ｓを使用する場合にも、飼料Ｓの供給量を容易に調節できるから、飼料Ｓの供給量が過剰になって、飼料Ｓを搬送できなくなったり、大粒状の飼料Ｓ３が下端開口に詰まって、開口を閉塞してしまうこともない。
【図面の簡単な説明】
【００４７】
【図１】本発明の飼料供給装置の一実施例の概観斜視図である。
【図２】図１に示す飼料供給装置の断面図である。
【図３】図１に示す飼料供給装置の使用状態を示す正面図である。
【図４】餌量調整部材の（Ａ）は篩形成板の斜視図、（Ｂ）は篩形成板の一端部下面の正面図である。
【図５】図１に示す飼料供給装置の作用を示す断面図である。
【図６】（Ａ）は図１に示す飼料供給装置における飼料の流動状態を示す断面図、（Ｂ）はＢ部の拡大図である。
【図７】飼料搬送装置の全体構成図である。
【図８】ディスクケーブルの一部正面図である。
【図９】従来の飼料供給装置の概観斜視図である。
【図１０】図９に示す飼料供給装置の断面図である。
【図１１】図９に示す飼料供給装置による飼料の供給状態を示す斜視図である。
【図１２】従来の飼料供給装置の概観斜視図である。
【図１３】図１２に示す飼料供給装置の側方斜視図である。
【図１４】図１２に示す飼料供給装置の断面図である。
【図１５】図１２に示す飼料供給装置による飼料の供給状態を示す斜視図である。
【図１６】混合飼料の説明図である。
【図１７】図９に示す飼料供給装置の作用を示す断面図である。
【図１８】図１２に示す飼料供給装置の作用を示す断面図である。
【符号の説明】
【００４８】
１  飼料供給装置
２  ホッパー本体
５  前側傾斜壁部
６  後前側傾斜壁部
８  一時堆積部材
９  餌量調節部材
１１  振動板
１６  振動板
２５  篩形成板
２６  篩形成板
１０２  ディスクケーブル
１０３  パイプライン
Ｓ  飼料
【図１】
2007074938.tif 000003
【図２】
2007074938.tif 000004
【図３】
2007074938.tif 000005
【図４】
2007074938.tif 000006
【図５】
2007074938.tif 000007
【図６】
2007074938.tif 000008
【図７】
2007074938.tif 000009
【図８】
2007074938.tif 000010
【図９】
2007074938.tif 000011
【図１０】
2007074938.tif 000012
【図１１】
2007074938.tif 000013
【図１２】
2007074938.tif 000014
【図１３】
2007074938.tif 000015
【図１４】
2007074938.tif 000016
【図１５】
2007074938.tif 000017
【図１６】
2007074938.tif 000018
【図１７】
2007074938.tif 000019
【図１８】
2007074938.tif 000020